(57)【要約】【課題】下地床に敷設されるパネル本体と例えば壁側の熱媒搬送用の配管とを連絡する際の多様な連絡形態に容易に対処できるようにし、連絡のための構成を簡素化し、施工性を高め、コストを低減する。【解決手段】下地床１にパネル本体２を敷設する。前記パネル本体２の周部に前記パネル本体２と略同一厚さのダミー材３を配設する。前記ダミー材３に前記パネル本体２への熱媒循環用の往復路となる連絡管４を支持して配管する床暖房パネルである。前記ダミー材３には前記連絡管４を支持する支持部材５を備える。前記支持部材５は規則性をもって突起６を点在させている。【選択図】        図１
2004293818.tif 000002
【特許請求の範囲】
【請求項１】
下地床にパネル本体を敷設し、前記パネル本体の周部に前記パネル本体と略同一厚さのダミー材を配設し、前記ダミー材に前記パネル本体への熱媒循環用の往復路となる連絡管を支持して配管する床暖房パネルであって、前記ダミー材には前記連絡管を支持する支持部材を備え、前記支持部材は規則性をもって突起を点在させていることを特徴とする床暖房パネル。
【請求項２】
前記突起は外側面に略円弧面を形成した柱状に形成していることを特徴とする請求項１記載の床暖房パネル。
【請求項３】
前記突起間の前後及び左右の間隔は前記連絡管の外径の整数倍にしていることを特徴とする請求項１記載の床暖房パネル。
【請求項４】
前記ダミー材の端縁と至近の前記突起との距離は前記連絡管の外径の１／２の整数倍にしていることを特徴とする請求項１記載の床暖房パネル。
【請求項５】
前記パネル本体の端縁部に前記突起の半割体をその割縁を外向きにして設けていることを特徴とする請求項１記載の床暖房パネル。
【請求項６】
前記突起を点在させている前記支持部材の上には平滑板を敷設していることを特徴とする請求項１記載の床暖房パネル。
【発明の詳細な説明】
【０００１】
【発明の属する技術分野】
本発明は、床暖房パネルに関し、詳しくは、下地床に敷設されるパネル本体と例えば壁側の熱媒搬送用の配管とを連絡する際の多様な連絡形態に容易に対処できるようにしようとする技術に係るものである。
【０００２】
【従来の技術】
一般に、温水床暖房パネルのような床暖房パネルにおいては、下地床にパネル本体が敷設され、前記パネル本体の周部に前記パネル本体と略同じ厚さのダミー材が配設され、前記ダミー材を通して、例えば、壁側から前記パネル本体に連絡管が配管されるのである。
【０００３】
このように、ダミー材を通して、例えば、壁側から前記パネル本体に連絡管を配管する際に、従来では、図６に示すように、ダミー材に埋設する基材ａに溝ｂを形成して連絡管４を支持するようにしている（例えば、特許文献１参照）。
【０００４】
ところで、このような特許文献１においては、基材ａに形成する溝ｂの位置は決まっていて画一的となって変更することができなかったから、部屋の形や大きさと、例えば、壁内に埋設されている熱媒搬送用の配管の配置等との関係で、２系統や３系統を同時に配管する際に、連絡管４を色々な形に曲げることになる多様な連絡形態に対処することができないものとなっており、したがって、溝ｂの位置を異ならせた多くの基材ａを用意しなければならないものとなっていた。
そこで、多様な連絡形態に対処するようにして多数の基材ａを準備しなくてもよいようにするために、図７に示すように、連結管ガイド用パネルｃに連絡管埋設用の溝ｂを異なる複数の方向に向かわせて多数本を刻設した構造のものがある（例えば、特許文献２参照）。
ところで、このような特許文献２においては、連絡管ガイド用パネルｃが別途に必要となり、かつ、２系統や３系統を同時に配管するのに対処するために、連絡管埋設用の溝ｂを異なる複数の方向に向かわせて多数本を刻設することから、構造が複雑となり、コストが高くなり、煩雑な作業になるなどという問題があった。
【０００５】
【特許文献１】
特開２００２−１７４４３２号公報
【特許文献２】
特開２００２−２２８１６８号公報
【０００６】
【発明が解決しようとする課題】
本発明はこのような問題に鑑みてなされたものであり、下地床に敷設されるパネル本体と例えば壁側の熱媒搬送用の配管とを連絡する際の多様な連絡形態に容易に対処できるようにしながら、連絡のための構成を簡素化し、施工性を高め、コストを低減できる床暖房パネルを提供することを目的とするものである。
【０００７】
【課題を解決するための手段】
請求項１の発明においては、下地床１にパネル本体２を敷設し、前記パネル本体２の周部に前記パネル本体２と略同一厚さのダミー材３を配設し、前記ダミー材３に前記パネル本体２への熱媒循環用の往復路となる連絡管４を支持して配管する床暖房パネルであって、前記ダミー材３には前記連絡管４を支持する支持部材５を備え、前記支持部材５は規則性をもって突起６を点在させていることを特徴とするものである。
このような構成によれば、規則性をもって点在させている突起６によって構成している支持部材５がダミー材３に備えられ、ダミー材３と連絡管４を支持する部材を兼ねるのであり、別部材とする構成に比べてコストを大幅に低減し、しかも、ダミー材３と支持部材５の施工が一挙におこなえて施工性を高める。更に、規則性をもって突起６を点在させることで、連絡管４の支持のための構成を簡素化して生産も容易となり、特に、規則性をもって点在させている突起６を選択使用することで、種々の望む形に曲げた連絡管４を安定して支持するのであり、床暖房パネルＡを施工する部屋と、例えば、壁内に埋設されている熱媒搬送管の配置等との関係で、連絡管４を種々な形に曲げることになる多様な連絡形態に容易に対処する。
【０００８】
請求項２の発明においては、前記突起６は外側面に略円弧面を形成した柱状に形成していることを特徴とするものである。
このような構成によれば、突起６の外側面に略円弧面を形成したことによって連絡管４を座屈することなく曲げえるのであり、安定した施工を容易、迅速におこなう。なお、突起６は断面形状が略円形、略楕円形、花柄形態或いは多角形で実質的に略円弧面を備える角柱状であってもよい。要するに、突起６に沿って連絡管４を座屈することなく曲げえる形状であればよい。
ところで、円柱状の突起６の半径Ｒは連絡管４の外径Ｄの６倍程度とすることで、円柱状の突起６に沿って連絡管４を曲げる場合に連絡管４の座屈を確実に防止できる。
【０００９】
請求項３の発明においては、前記突起６間の前後及び左右の間隔Ｌは前記連絡管４の外径の整数倍にしていることを特徴とするものである。
このような構成によれば、隣接する突起６間に整数本の連絡管４を配管することができ、２系統や３系統を同時に配管する際に、施工性を、一層、高める。
【００１０】
請求項４の発明においては、前記ダミー材３の端縁７と至近の前記突起６との距離Ｍは前記連絡管４の外径Ｄの１／２の整数倍にしていることを特徴とするものである。
このような構成によれば、ダミー材３を突き合わせた場合に、突き合わせ部分の突起６間に少なくとも１本の連絡管４を配管させることができ、端縁７の突起６をも利用する。
【００１１】
請求項５の発明においては、前記ダミー材３の端縁部に前記突起６の半割体８をその割縁１０を外向きにして設けていることを特徴とするものである。
このような構成によれば、ダミー材３を突き合わせた場合に半割体８同士を突き合わせて１個の突起６を形成でき、ダミー材３の継ぎ目をなくし、端縁部の強度を高める。
【００１２】
請求項６の発明においては、前記突起６を点在させている前記支持部材５の上には平滑板９を敷設していることを特徴とするものである。
このような構成によれば、規則性をもって突起６を点在させているダミー材３は載せられた平滑板９よって平滑にして、床仕上げが容易となるだけでなく強度を向上できる。
【００１３】
【発明の実施の形態】
以下、本発明の実施の形態を説明する。図１（ａ）はダミー材の平面図、同図（ｂ）は概略分解断面図である。図２（ａ）は温水床暖房パネルの概略平面図、同図（ｂ）は部分斜視図である。図３（ａ）（ｂ）は部分断面図である。
【００１４】
床暖房パネルＡは、例えば、温水床暖房パネルであり、例えば、フローリングのような下地床１にパネル本体２が敷設され、パネル本体２と部屋の壁１１との間でパネル本体２の周部にパネル本体２と同じ厚さ［Ｔ１＝Ｔ２（図３）］のダミー材３が敷設され、例えば、部屋の床全面に敷設されるものである。
【００１５】
図３（ｂ）に示すように、パネル本体２のベース１２には配管溝１３が形成されて給湯及び戻り用の温水パイプ１４が配管され、又、同図（ｃ）に示すように、温水循環用の１本の温水パイプ１４が配管され、上から均熱板１５を敷設し、更に上から床仕上げ材１５を敷設している。図１（ａ）に示すように、ダミー材３には連絡管４がパネル本体２の前記温水パイプ１４に接続して配管され、例えば、壁１１に埋設した温水搬送管としての給湯及び戻り管（図示せず）が連絡管４に接続され、熱源機からの温水を連絡管４を経由してパネル本体２の温水パイプ１４に給湯し、循環の後、前記熱源機へと返流され、床暖房をおこなうようにしている。
【００１６】
下地床１に敷設されるパネル本体２と壁１１に埋設された温水搬送用の給湯及び戻り管とを連絡する際に、部屋の形や壁１１に埋設された温水搬送用の給湯及び戻り管との位置等によって、多様な連絡形態になるのであるが、本発明においては、多様な連結形態に容易に対処できるようにしている。以下、詳述する。
【００１７】
図１（ａ）に示すように、前記ダミー材３には前記連絡管４を支持する支持部材５を備えている。支持部材５は、例えば、格子状のような規則性をもって突起６を点在させているものである。突起６は、例えば、千鳥状等のような規則性をもって点在させるようにしてもよい。前記突起６は、外側面に略円弧面を形成した柱状である。突起６は断面形状が略円形、略楕円形、花柄形態或いは多角形で実質的に略円弧面を形成する角柱状であってもよい。要するに、突起６に沿って連絡管４を座屈することなく曲げえる断面形状であればよい。突起６は独立していても、複数を連続させてグループ化させていてもよく、独立した突起６或いはグループ化した突起６を板状のダミー基板１６に固定するとよい。突起６はダミー基板１６に一体的に形成してもよい。ダミー材３は長方形、正方形等種々の形にできる。このようなダミー材３は下地床１にビス１７にて固定されてパネル本体２を保持している。
このような構成によればから、規則性をもって点在させている突起６によって構成している支持部材５がダミー材３に備えられているのであり、ダミー材３と連絡管４を支持する支持部材５を兼ねているのであり、別部材とする構成に比べてコストを低減しているのである。しかも、ダミー材３と支持部材５の施工が一挙におこなえて施工性を高めるのである。
更に、規則性をもって突起６を点在させることで、連絡管４の支持のための構成を簡素化して生産も容易となり、特に、規則性をもって点在させている突起６を選択使用することで、種々の望む形に曲げた連絡管４を安定して支持するのであり、温水床暖房パネルを施工する部屋の形や大きさと、例えば、壁内に埋設されている給湯管の配置等との関係で、２系統や３系統を同時に配管する際に、連絡管４を種々な形に曲げることになる多様な連絡形態に容易に対処することができるのである。
【００１８】
この場合、突起６の外側面に略円弧面を形成したことによって連絡管４を座屈することなく曲げえるのであり、安定した施工を容易、迅速におこなえる。ところで、図１（ｃ）に示すように、円柱状の突起６の（曲率）半径Ｒは連絡管４の外径Ｄの６倍程度とすることで、円柱状の突起６に沿って連絡管４を曲げる場合に連絡管４の座屈を確実に防止できてよい。
又、前記突起６間の前後及び左右の間隔Ｌは前記連絡管４の外径の整数倍にしていて、隣接する突起６間に整数本の連絡管４を配管することができ、２系統や３系統を同時に配管する際に、施工性を、一層、高めている。
更に、前記ダミー材３の端縁７と至近の前記突起６との距離Ｍは前記連絡管４の外径の１／２の整数倍にしていて、ダミー材３を突き合わせた場合に、突き合わせ部分の突起６間に少なくとも１本の連絡管４を配管させることができ、端縁７の突起６をも利用することができる。
図４は他の実施の形態を示し、但し、本実施の形態の基本構成は上記実施の形態と共通であり、共通する部分には同一の符号を付して説明は省略する。
本実施の形態においては、前記ダミー材３の端縁部に前記突起６の半割体８をその割縁１０を外向きにして設けている。このような実施の形態においては、ダミー材３を突き合わせた場合に半割体８同士を突き合わせて１個の突起６を形成しながら、端縁部の強度を高め、かつ、ダミー材３の継ぎ目をなくしている。なお、突起６を分割する際に、二分割の半割体８でなく、例えば、四分割等されたものであってもよい。
ところで、前記突起６を点在させている前記支持部材５の上には平滑板９を敷設していて、規則性をもって突起６を点在させているダミー材３は載せられた平滑板９よって平滑にして、床仕上げが容易となるだけでなく強度を向上できる。
この場合、平滑板９の上に床仕上げ材（図示せず）を敷設するのであるが、平滑板９に前記均熱板の機能を備えさせてよく、又、平滑板９自体を床仕上げ材としてもよい。
尚、本発明の床暖房パネルＡは、直埋形態の施工に実施してもよいものである。尚、本発明における熱媒は、油のような液体、又は、気体でもよいものである。
【００１９】
【発明の効果】
請求項１の発明においては、下地床にパネル本体を敷設し、前記パネル本体の周部に前記パネル本体と略同一厚さのダミー材を配設し、前記ダミー材に前記パネル本体への熱媒循環用の往復路となる連絡管を支持して配管する温水床暖房パネルであって、前記ダミー材には前記連絡管を支持する支持部材を備え、前記支持部材は規則性をもって突起を点在させているから、規則性をもって点在させている突起によって構成している支持部材がダミー材に備えられて、ダミー材と連絡管を支持する部材を兼ねることができ、別部材とする構成に比べてコストを大幅に低減することができ、しかも、ダミー材と支持部材の施工が一挙におこなえて施工性を高めることができ、更に、規則性をもって突起を点在させることで、連絡管の支持のための構成を簡素化することができて生産も容易となり、特に、規則性をもって点在させている突起を選択使用することで、種々の望む形に曲げた連絡管を安定して支持することができ、温水床暖房パネルを施工する部屋と、例えば、壁内に埋設されている給湯管の配置等との関係で、連絡管を種々な形に曲げることになる多様な連絡形態に容易に対処することができるという利点がある。
【００２０】
請求項２の発明においては、請求項１の効果に加えて、前記突起は外側面に略円弧面を形成した柱状に形成しているから、突起の外側面に略円弧面を形成したことによって連絡管を座屈することなく曲げることができ、安定した施工を容易、迅速におこなうことができるという利点がある。
【００２１】
請求項３の発明においては、請求項１の効果に加えて、前記突起間の前後及び左右の間隔は前記連絡管の外径の整数倍にしているから、隣接する突起間に整数本の連絡管を配管することができ、２系統や３系統を同時に配管する際に、施工性を、一層、高めることができるという利点がある。
【００２２】
請求項４の発明においては、請求項１の効果に加えて、前記ダミー材の端縁と至近の前記突起との距離は前記連絡管の外径の１／２の整数倍にしているから、ダミー材を突き合わせた場合に、突き合わせ部分の突起間に少なくとも１本の連絡管を配管させることができ、端縁の突起をも利用することができるという利点がある。
【００２３】
請求項５の発明においては、請求項１の効果に加えて、前記ダミー材の端縁部に前記突起の半割体をその割縁を外向きにして設けているから、ダミー材を突き合わせた場合に半割体同士を突き合わせて１個の突起を形成でき、ダミー材の継ぎ目をなくし、端縁部の強度を高めることができるという利点がある。
【００２４】
請求項６の発明においては、請求項１の効果に加えて、前記突起を点在させている前記支持部材の上には平滑板を敷設しているから、規則性をもって突起を点在させているダミー材は載せられた平滑板よって平滑にでき、床仕上げが容易となるだけでなく強度を向上できるという利点がある。
【図面の簡単な説明】
【図１】本発明の実施の一形態を示し、（ａ）はダミー材の平面図、（ｂ）は概略分解断面図、（ｃ）は説明図である。
【図２】（ａ）は概略平面図、（ｂ）は部分斜視図である。
【図３】（ａ）はダミー材を下地床に固定する概略断面図、（ｂ）（ｃ）はパネル本体を下地床に敷設する概略断面図である。
【図４】同上の他の実施の形態を示しダミー材の平面図である。
【図５】同上の他の施工例を示し、（ａ）（ｂ）は説明図である。
【図６】従来例の基体の側面図である。
【図７】他の従来例の平面図である。
【符号の説明】
１    下地床
２    パネル本体
３    ダミー材
４    連絡管
５    支持部材
６    突起
７    ダミー材の端縁
８    半割体
９    平滑板
１０  割縁
【図１】
2004293818.tif 000003
【図２】
2004293818.tif 000004
【図３】
2004293818.tif 000005
【図４】
2004293818.tif 000006
【図５】
2004293818.tif 000007
【図６】
2004293818.tif 000008
【図７】
2004293818.tif 000009